(57)【特許請求の範囲】
【請求項１】
開放ドラム（Ｂ）又は開放ドラム（Ｃ）に配設されておりかつ周囲に弾性支台（１６）を有する、印刷シートフィーダの開放装置用の搬送ディスクであって、該ディスクによってその都度１つの印刷シート（１）が搬送装置（４）上への搬送のために搬送装置と他の開放ドラム（Ｂ、Ｃ）のディスク（２９）との間で締付け可能である前記搬送ディスクにおいて、
該支台は、支えとなる外層（２０）及びその下方に補償領域（２１）を有し、補償領域は、ラジアル方向に可撓的に作用しかつ支えとなる外層（２０）を支持するように形成されていることを特徴とする前記搬送ディスク。
【請求項２】
補償領域（２１）が、ラジアル方向において支えとなる外層（２０）よりも弾性的に形成されていることを特徴とする請求項１に記載のディスク。
【請求項３】
補償領域（２１）が、印刷シート（１）の厚さに相応するラジアル方向の変形を有することを特徴とする請求項１又は２に記載のディスク。
【請求項４】
補償領域（２１）の下方に別の層（２４）が配設されており、この層には、搬送ディスク（１４）の本体（１５）に支台（１６）を固定するための手段が設けられていることを特徴とする請求項３に記載のディスク。
【請求項５】
支台（１６）が、搬送ディスク（１４）の周方向に延びる少なくとも１つのセグメント状のゴム弾性体（３２）から形成されていることを特徴とする請求項１または２に記載のディスク。
【請求項６】
補償領域（２１）が、複数のスポーク状のウエブ（２２、２２′、２２′′、２２′′′）を有し、ウエブはそれぞれ一端で支えとなる外層（２０）に固定されていることを特徴とする請求項１または２に記載のディスク。
【請求項７】
スポーク状のウエブ（２２、２２′、２２′′、２２′′′）が、枠縁状又は薄板状に形成されていることを特徴とする請求項６に記載のディスク。
【請求項８】
ウエブ（２２、２２′′）が支台（１６、１６′′）の曲率半径方向に対して傾いていることを特徴とする請求項６又は７に記載のディスク。
【請求項９】
支台（１６）若しくは本体（３２）が、ゴム弾性樹脂から製造されていることを特徴とする請求項５に記載のディスク。
【請求項１０】
支台（１６）若しくは本体（３２）が、ポリウレタンから製造されていることを特徴とする請求項９に記載のディスク。
【請求項１１】
支台（１６）若しくは本体（３２）が、モールディング可能なポリウレタンから製造されていることを特徴とする請求項１０に記載のディスク。
【請求項１２】
支台（１６）が、搬送ディスク（１６）の本体（１５）に分解可能に固定されていることを特徴とする請求項１または２に記載のディスク。
【請求項１３】
支台（１６）が、搬送ディスク（１６）の本体（１５）にねじ止めされていることを特徴とする請求項１２に記載のディスク。
【請求項１４】
ゴム弾性体（３２）が、搬送ディスク（１４）の本体（１５）と固着していることを特徴とする請求項５に記載のディスク。
【請求項１５】
フィーダ（２７）が、収集綴じフィーダであり、そして搬送ディスク（１４）が、開放ドラム（Ｃ）の軸（８）上に回転不能に配設されていることを特徴とする請求項１または２に記載のディスク。
【発明の詳細な説明】
【０００１】
【発明の属する技術分野】
本発明は、請求項１の上位概念による搬送ディスクに関する。
【０００２】
フィーダは、スタックから引き出される印刷シートを開放しかつ搬送装置上、特に収集チェ−ン上に下ろすために使用される。印刷シートの開放のために、そのようなフィーダは２つの開放ドラムＢ及びＣを有し、これらの開放ドラムは、それぞれ開放されるべき印刷シートのシート自由端を把持しかつ開放する。開放後シート端は、グリッパ又はサッカーによって引き離される。引き離し後、シートは、シートが綴じチェーン上に跨がって落下するまで、搬送ディスクによって更に搬送されることが行われる。
【０００３】
一般にフィーダ及び特に収集綴じフィーダによって、非常に相違する厚さの印刷物がかつ非常に相違する種類の紙が処理されなければならない。搬送ディスクは、相応して相異なる厚さの製品を確実に搬送しななければならない。従って搬送ディスクは、相異なる製品厚さを収容するのみならず、このために非常に薄くかつ安定性の低い製品を、シートが幾何学的に正確に収集チェーン上に搬送されることができるために充分な圧着力で締付けなければならない。
【０００４】
【従来の技術】
技術水準において、周囲にシリコンチューブから成る弾性支台を有する搬送ディスクが公知である。シリコンチューブは、製品の厚さに従ってラジアル方向に圧縮される。そのようなシリコンチューブでは、シリコンチューブが搬送ディスクの本体上に固定され難いという困難性がある。このためにシリコンチューブによって作用される締付け力は制御し難い。更にストリップ状のムースゴム（Ｍｏｏｓｇｕｍｉ）から成る支台が公知である。ストリップは、搬送ディスクの本体上に接着される。発泡材厚さに従ってここでは圧着力が非常に相違する。このためにこの支台は非常に摩耗し易くかつ可撓的ではない。従って支台は、ここでは非常に頻繁にかつ比較的コスト高で交換されなければならない。
【０００５】
【発明が解決しようとする課題】
本発明は、冒頭の種類の搬送ディスクを前記困難性が回避されるように改良することを課題とする。
【０００６】
【課題を解決するための手段】
本発明の課題は、請求項１の特徴による形式の搬送ディスクによって解決される。本発明による搬送ディスクでは、支えとなる外層の下方で軸線方向において補償領域が設けられ、補償領域はラジアル方向において支えとなる外層よりも実質的に弾性的である。相異なる製品厚さへの適合は、この補償領域のラジアル方向圧縮によって行われる。従って支えとなる外層は、比較的摩耗に耐えかつ安定した樹脂から製造されることができる。前記のように厚さ補償は、下方に位置する補償領域で行われる。ラジアル方向の変形は、比較的大きくかつ例えば８〜１０ｍｍの範囲である。外層のラジアル方向の厚さは４〜８ｍｍ、好ましくは略６ｍｍである。比較的大きな変形領域に基づいて、非常に薄くかつ扱い難い製品も硬い紙から成る厚い製品も搬送されることができる。
【０００７】
補償領域は、本発明の他の構成によれば、多数のスポーク状のウエブによって形成される。このスポーク状のウエブがディスク状又は薄板状である場合、ウエブは、支えとなる外層を特に許容できるようにかつラジアル方向にも軸線方向にも確実に支持することができる。これらのウエブは、他のラジアル方向の長さ領域においても非常に弾性的な変形を可能にする。このためにこれらのウエブの他の構成によって設けられた斜めの構成が、実質的に寄与する。
【０００８】
本発明の他の構成によれば、補償領域の下方でラジアル方向に他の層が配設されており、この層は、搬送ディスク本体への支台の固定のための手段を有する。固定は例えばねじによって行われる。このことは簡単かつ比較的迅速な支台の交換を可能にする。しかし支台が直接搬送ディスクの本体に固定され、例えばモールディングされ又は加硫されることも可能である。
【０００９】
他の有利な特徴は従属請求項、次の記載並びに図面から得られる。
【００１０】
本発明の実施例を次に図面に基づいて詳しく説明する。
【００１１】
【実施例】
図１は、折られたかつ開放されるべき印刷シートのためのフィーダ２７、特に収集綴じフィーダを図式的に示す。フィーダによって折られた印刷シート１がドラムＡによってその都度個々にスタック６の下側から引き出されかつ公知の方法で開放ドラムＢ及び開放ドラムＣに供給される。スタック６は、ドラムＡ上で支持架台７上に配設されておりかつそれぞれ最下位の印刷シートが例えば図示しないグリッパ又はサッカーによって引き出される。スタック６から互いに協働する両開放ドラムＢ及びＣへのシート１の搬送は、当業者に周知でありかつここではこれ以上説明する必要はない。ドラムＡ〜Ｃは、互いに向かい合って位置する２つの軸受フレーム５に支承されておりかつここでは図示しない公知の手段によってタイミング正しくに駆動される。ドラムＡは、図１中で反時計方向に回転し、ドラムＢは、時計方向に、そしてドラムＣは、矢印２８により反時計方向に回転する。
【００１２】
図１は、折られたシート１を示し、折られたシートは、開放ドラムＢによってシートの前方の１つの自由端１ａをグリッパ２によって把持されかつ同時にドラムＣ及びそのグリッパ３によってシート部分１ｂの前方の他の自由端を把持される。印刷シートの折られた背部１ｃは、背部１ｃを後に向けて走行する。両開放ドラムＢ及びＣの間でこれらの下方にそれ自体公知の収集チェーン４又は他の搬送装置がある。図１は、開放工程の開始を示す。両ドラムＢ及びＣの継続回転の際に、シート１は再び開放されかつグリッパ２及び３が印刷シート１を解放した後に印刷シート１は再び下方に向かって搬送されかつ収集チェーン４上に跨がるように下ろされる。走行する収集チェーン４は、印刷シート１を例えばここでは図示しない綴じ装置に搬送する。
【００１３】
比較的高い速度で印刷シート１は開放されかつ搬送されるので、印刷シートが収集チェーン４上に投出される際に幾何学的に正確に案内されることが、本質的なことである。このために開放ドラムＢ及びＣの間の印刷シートは、開放ドラムＢの少なくとも１つのディスク２９と開放ドラムＣの搬送ディスク１４との間で締付けられる。締付けは、ディスク２９若しくは搬送ディスク１４の周囲の円形の円弧部分３０及び３１で行われる。これらの面３０及び３１は、好ましくは円筒状の面である。
【００１４】
相異なる厚さの印刷シート１が搬送されることができるために、搬送ディスク１４は、２つのセグメント状の支台１６を有する。明らかなように、搬送ディスク１４の周囲のこれらの支台１６の間に、グリッパ３が配設されている。しかし１つの支台１６のみが又は２つ以上の支台１６も配設される実施形態も可能である。
【００１５】
両支台１６は、図２によればねじ１７によって搬送ディスク１４のディスク状本体１５に分解可能に固定されている。ディスク状本体１５には、支台１６の間に２つの締付けローラ２６が支承されており、締付けローラ２６は、それぞれ公知の方法でシート端１ｂの把持のためのグリッパ３と協働する。両グリッパ３の操作は、それぞれ軸１１によって行われ、軸１１にはグリッパ３がそれぞれねじ１３によって固定されている。軸１１はそれぞれ搬送ディスク１４上の軸受１２に配設されておりかつここでは図示しないディスクカムを介して公知の方法でグリッパ３の操作のために回転されることができる。
【００１６】
図３によれば通常の方法で、軸８上に２つの搬送ディスク１４が、互いに間隔をおいて配設されている。図２に示すように、これらの搬送ディスク１４は、それぞれキー１９によって軸８と回転不能に結合している。軸８は、図３によれば、軸受９及び１０によって両軸受フレーム５に固定されておりかつ自体公知の方法で駆動される。明らかなように、軸１１によって同時に両搬送ディスク１４のグリッパが移動される。
【００１７】
支台１６は、好ましくはそれぞれ同様に構成されておりかつ好ましくはゴム弾性的本体３２を有し、ゴム弾性的本体は内側に配設されている、例えば金属板から成る湾曲状支持体１８にモールディングされている。ゴム弾性的本体３２を確実に支持体１８に保持するために、支持体１８に多数の長穴２５があけられており、長穴２５にはゴム弾性的本体３２が係止されている。ねじ１７によって支台１６が、それぞれ本体１５の周囲に分解可能に固定されている。ここでも他の固定手段が考えられる。支台１６は、そのために本体１５にも直接モールディングされ得る。
【００１８】
本体３２は、それぞれ１つの支えとなる外層２０、中間の補償領域２１並びに内層２４を有する。補償層２１は好ましくは多数のスポーク状のウエブ２２によって形成されており、スポーク状のウエブは両層２０及び２４を相互に結合する。スポーク状のウエブ２２は、好ましくは薄板状又は枠縁状に形成されておりかつ図３によればこの支台１６の全幅に渡って延びている。スポークの代わりに支えとなる外層２０と内層２４との間にリング状のウエブ結合部（二重Ｔ横断面）も形成されることができる。補償領域２１が、ラジアル方向において比較的大きな領域において弾性的に変形可能であることが本質的なことである。しかし支えとなる外層２０は、そのようなラジアル方向の変形では実質的に僅かしか変形されずかつその安定性を維持する。補償領域２１の変形領域は、既に述べたように、比較的高くかつ例えば０〜７ｍｍになる。相応して両開放ドラムＢ及びＣの間に、略７ｍｍまでの厚さの製品が、搬送されることができる。非常に薄い印刷シートでは補償領域２１における変形は、相応して僅かである。そのように薄くかつ軽い印刷シート１は、比較的小さい締付け力で充分に保持される。補償領域２１における大きな変形の際、厚い印刷シートでは大きな締付け力がかけられる。最大の変形では、ウエブ２２の間の中間空間２３は、実質的に閉鎖されかつ支持する層２２は相応したラジアル方向内方にずらされる。
【００１９】
ゴム弾性体３２は、好ましくは比較的摩耗に耐える樹脂から成る。樹脂としてポリウレタン及び好ましくはモールディング可能なポリウレタンが特に好適である。そのようなポリウレタン材料は、商品名バルコラン（ＶＵＬＫＯＬＬＡＮ）として販売されている。そのような樹脂は、提案された本体３２ではラジアル方向に可撓的でかつ負荷除去後元の形に非常に急速に復元する。
【００２０】
図４（ａ）〜（ｃ）は、本発明の変形による支台１６′、１６′′及び１６′′′を示す。上記の実施形態に対して、ここでは本体３２′、３２′′若しくは３２′′′のみが相違する。図４（ａ）による実施形態では、ウエブ２２′は実質的にラジアル方向の延在部において湾曲している。図４（ｂ）による実施形態では、ウエブ２２′′は、ウエブ２２′′が支台１６′′の曲率半径方向に対して傾いており、中間空間２３′′が略三角形状であるように配設されている。図４（ｃ）による実施形態では、同様にラジアル方向に延びる湾曲状のウエブ２２′′′であるが、他の構成も可能である。結局中間空間２３が存在しない実施形態も可能である。補償領域２１は、実質的に層２０よりも弾性的な樹脂によって形成される。中間空間２３は、このためにゴム弾性的樹脂を充填されることができる。
【００２１】
勿論開放ドラムＢも又は開放ドラムＢのみが、本発明による構造に形成されることもできる。
【図面の簡単な説明】
【図１】図１は、本発明による搬送ディスクを備えたフィーダの図式的部分図である。
【図２】図２は、搬送ディスクの正面図である。
【図３】図３は、フィーダの開放ドラムの図式的断面図である。
【図４】図４は、好適な支台の他の実施形態であり、（ａ）は、ウエブが実質的にラジアル方向に円弧状になっている実施形態、（ｂ）はウエブの中空室が三角形であるような実施形態、そして（ｃ）は、ウエブが実質的にラジアル方向に円弧状になっているが、（ａ）とは異なる構成の実施形態を示す図である。
【符号の説明】
１    印刷シート
１４    搬送ディスク
１６    支台
２０    支えとなる外層
２１    補償領域
２９    ディスク
Ｂ    開放ドラム
Ｃ    開放ドラム
【図１】
0004754046.tif 000002
【図２】
0004754046.tif 000003
【図３】
0004754046.tif 000004
【図４】
0004754046.tif 000005